【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
膨張可能な患者移動用架台を備えた装置を使用して患者を取り扱う方法であって、該架台は、膨張したときに、膨張した架台内に着座した患者を移動のための直立座位に保持することができる自立シート構造を画定し、該架台は、(i) 膨張可能なシート部分と、(ii) 膨張可能な背部支持部分と、(iii)一対の対向する膨張可能な側部パネル部分とを有し、各膨張可能な部分は、軟質壁を持つ膨張可能本体を含み、この本体は膨張していないときに柔軟性であり、
a. 膨張していない架台を、患者に対して、該シート部を患者の上もも／臀部領域の下に配置し、該背部支持部分を患者の背中に配置する工程、及び
b. 続いて、患者に対して該シート構造を画定するために該架台を膨張させる工程を含む方法であって、
前記架台が、膨張したときに前記シート構造を画定し、直立位置になるように構成され、前記背部支持部分は前記シ−ト部分から上方に延び、前記側部パネル部分は、背部支持部分と各側部上のシ−ト部分との間に延び且つこれらに結合し、背部支持部分と共に一定容積を画定し、シ−ト部分に座った患者の上半身はその中に支持され、背部支持部分と側部パネル部分によってほぼ直立に保たれ、該側部パネル部分は、背部支持部分をシ−ト部分から上方に延びるように自己支持的に保持するように機能する、方法。
【請求項２】
前記膨張していない架台が患者が支持面上に横たわるように配置された、請求項１に記載の方法であって、
a. 前記膨張していないシ−ト部分及び背部支持部分を、患者とそれらがその上に横たわる該支持面との間に配置し、前記背部支持部分を患者の背面の下に置き、前記シート部分を患者の上ももの下に置き、患者を仰向け状態に置く工程、
b. 続いて、架台が膨張してシート構造を画定するにつれて、患者が座位に引き込まれるように、架台を膨張させる工程、
を含む方法。
【請求項３】
前記シ−ト部分、前記背部支持部分及び前記側部パネル部分の各々が、使用時に患者が前記膨張した架台に座ったときに患者の方に向く内表面と、患者から離れた方向を向く対抗する外表面とを有する請求項２に記載の方法であって、請求項２の工程aが、前記シート部分及び前記背部支持部分を、それらの外表面が支持面に向き、内表面が患者に向く状態で、前記支持面上の共通平面内に概ね延在するように配置する工程を含み、該シ−ト部分と背部支持部分が、架台が膨張してシート構造体を画定するにつれて、それらの外表面が互いに角度をなして延在する構成に引き込まれ、背部支持部分の内表面が患者の背部を向いて患者の背部を支持する、方法。
【請求項４】
前記背部支持部分の外表面が支持面と接触したままであり、前記シ−ト部分が、架台が膨張してシート構造体を画定するにつれて、その外表面が支持面から概ね上方に伸びる位置に引き込まれるように、架台を膨張させる工程を含み、更に、背部支持部分を支持面から持ち上げて、患者を膨張した架台の中で直立座位に支持するように患者を配置するように、膨張した架台を、乗っている患者がシート部分の外表面に前方に向くように、傾ける工程を含む、請求項２又は３に記載の方法。
【請求項５】
各側部パネル部分が、シ−ト部分及び背部支持部分の少なくとも１つに取り外し可能に取り付け可能であり、前記膨張していない架台を患者に対して配置する工程が、少なくとも１つの側部パネル部分がシ−ト部分及び背部支持部分の少なくとも１つから切り離されている非組立構成の架台を用いて行われ、該膨張していない架台は、組立構成において、架台を膨張させる工程の前に、各側部パネルが前記シ−ト部分と背部支持部分の両方に接続される、請求項１〜４のいずれか一項に記載の方法。
【請求項６】
各側部パネル部分が、シ−ト部分と背部支持部分の両方に取り外し可能に取り付け可能であり、架台が患者に配置するためにその非組立構成にあるときに、少なくとも１つの側部パネルが、シ−ト部分と背部支持部分の両方から分離されている、請求項５に記載の方法。
【請求項７】
前記架台が、互いに離脱可能に取り付けられた少なくとも２つの分離可能な部分を有し、この少なくとも２つの分離可能な部分が、少なくとも前記背部支持部分を含む第１部分と、少なくとも前記シ−ト部分を含む第２部分とを含み、各側部パネル部分が、該少なくとも２つの部分が組み立てられたときに、背部支持部分とシ−ト部分の各側部との間に延在し、それらに接続され、前記膨張していない架台を患者に配置する工程が、前記架台を膨張させる工程の前に、該膨張していない架台を、該少なくとも２つの部分を分離した状態で患者に配置し、その後、該少なくとも２つの部分を結合する工程を含む、請求項１〜６のいずれか一項に記載の方法。
【請求項８】
前記膨張していない架台が患者が支持面上に横たわるように配置された、請求項１に記載の方法であって、
a. 前記膨張していないシ−ト部分及び背部支持部分を、患者とそれらがその上に横たわる該支持面との間に配置し、前記背部支持部分を患者の背面の下に置き、前記シート部分を患者の上ももの下に置き、患者を仰向け状態に置く工程、
b. 続いて、架台が膨張してシート構造を画定するにつれて、患者が座位に引き込まれるように、架台を膨張させる工程、
を含み、
前記架台が、互いに離脱可能に取り付けられた少なくとも２つの分離可能な部分を有し、この少なくとも２つの分離可能な部分が、少なくとも前記背部支持部分を含む第１部分と、少なくとも前記シ−ト部分を含む第２部分とを含み、各側部パネル部分が、該少なくとも２つの部分が組み立てられたときに、背部支持部分とシ−ト部分の各側部との間に延在し、それらに接続され、前記膨張していない架台を患者に配置する工程が、前記架台を膨張させる工程の前に、該膨張していない架台を、該少なくとも２つの部分を分離した状態で患者に配置し、その後、該少なくとも２つの部分を結合する工程を含み、
前記膨張していない架台を患者に配置する工程が、シ−ト部分及び背部支持部分を、患者とそれらがその上に横たわる表面との間に配置し、背部支持部分を、その内部表面が患者の背面を向いて、患者の背面の下に置き、シート部分を患者の上ももの下に置き、患者を仰向け状態に置く工程、及び架台を膨張させる工程の前に、患者を仰向け状態に置いたまま前記少なくとも２つの部分を結合する工程を含む、方法。
【請求項９】
患者が膨張した架台に支持され、該架台が直立位置にある請求項１〜８のいずれか一項に記載の方法であって、患者が一表面を横切るように、膨張した架台を運転する工程を含む方法。
【請求項１０】
以下の工程を含む請求項１〜９のいずれか一項に記載の方法。
ａ．膨張した架台の中の患者を、第１の支持構造体上の直立座位に支持する工程；
ｂ．その移動中に患者が膨張可能な架台内に直立座位に支持されたまま、架台を、該第１の支持構造体から第２の支持構造体へ移動させる工程
【請求項１１】
請求項１〜１０のいずれか一項に記載の方法に使用するための装置であって、この装置は、膨張可能な患者移動用架台を備え、この架台は、膨張したときに、異なる複数の位置の間で移動させるために、膨張した架台内に着座した患者を直立座位に保持することができる自立シート構造を画定し、該架台が、(i) 膨張可能なシート部分と、(ii) 膨張可能な背部支持部分と、(iii)一対の対向する膨張可能な側部パネル部分とを有し、各膨張可能な部分は、軟質壁を持つ膨張可能本体を含み、この本体は膨張していないときに柔軟性である、装置であって、
前記架台が、膨張したときに前記シート構造を画定し、前記シート部分上に直立位置で配置されるように構成され、前記背部支持部分は前記シ−ト部分から上方に延び、前記側部パネル部分は、背部支持部分と各側部上のシ−ト部分との間に延び且つこれらに結合し、背部支持部分と共に一定容積を画定し、シ−ト部分に座った患者の上半身はその中に支持され、背部支持部分と側部パネル部分によってほぼ直立に保たれ、該側部パネル部分は、使用時に、自己支持的に患者の上半身を支えるために、背部支持部分をシ−ト部分から上方に延びるように保持するように機能する、装置。
【請求項１２】
各側部パネル部分が、シ−ト部分及び背部支持部分の少なくとも１つに取り外し可能に取り付け可能である、請求項１１に記載の装置。
【請求項１３】
前記架台が、互いに離脱可能に取り付けられた少なくとも２つの分離可能な部分を有し、第１部分が少なくとも前記背部支持部分を含み、第２部分が少なくとも前記シ−ト部分を含み、各側部パネル部分が、該少なくとも２つの部分が組み立てられたときに、背部支持部分とシ−ト部分の各側部の端との間に延在し、それらに接続される、請求項１１又は１２に記載の装置。
【請求項１４】
前記シ−ト部分がトイレ用穴を画定する、請求項１１〜１３のいずれか一項に記載の装置。
【請求項１５】
前記背部支持部分が、使用者の少なくとも肩の高さまで上方に伸びるように構成された、請求項１１〜１４のいずれか一項に記載の装置。
【手続補正２】
【補正対象書類名】明細書
【補正対象項目名】００２１
【補正方法】変更
【補正の内容】
【００２１】
ある実施態様において、架台は、少なくとも２７ｋＰａ又は少なくとも３４ｋＰａの圧力に膨張される。
この方法は、患者が膨張した架台に支持され、該架台が直立位置にある状態で、患者が一表面を横切るように、膨張した架台を運転する工程を含んでもよい。
この方法は、以下の工程を含んでもよい。
ａ．膨張した架台の中の患者を、第１の支持構造体上の直立座位に支持する工程；
ｂ．その移動中に患者が膨張可能な架台内に直立座位に支持されたまま、架台を、該第１の支持構造体から第２の支持構造体へ移動させる工程